(57)【要約】【課題】  建物の壁面等の仕上げに際し、壁のコーナー部に取り付けて、該コーナ部の仕上げを丸みを帯びた美麗なものとすることのできるコーナー材を提供すること。【解決手段】    幅方向の中央部に縦方向の中心線に沿って折り曲げ可能な蝶番部を設け、該蝶番部の左右両側にそれぞれ所定幅のプレートを一体に設けたコーナー材であって、前記蝶番部には、軟質の筋と硬質の筋とが複数条交互に形成されているコーナー材。前記プレート部には接着剤の層を設けておくのが好ましい。【選択図】  図１
2008057248.tif 000002
【特許請求の範囲】
【請求項１】
幅方向の中央部に縦方向の中心線に沿って折り曲げ可能な蝶番部を設け、該蝶番部の左右両側にそれぞれ所定幅のプレートを一体に設けたコーナー材であって、前記蝶番部には、軟質の筋と硬質の筋とが複数条交互に形成されていることを特徴とするコーナー材。
【請求項２】
左右のプレートに表裏に通ずる複数の穴が設けられている請求項１に記載のコーナー材。
【請求項３】
左右のプレートの裏面側に接着剤層が形成されている請求項１又は２に記載のコーナー材。
【発明の詳細な説明】
【技術分野】
【０００１】
本発明は、建物の壁面等の仕上げに際し、コーナー部に取り付けて、該コーナ部の仕上げを丸みを帯びた美麗なものとするためのコーナー材に関するものである。
【背景技術】
【０００２】
建物の壁面は、布地、合成樹脂クロス、壁紙等を張り付ける乾式仕上げ方法や、壁土、ケイソウ土、モルタル等を塗り付ける湿式仕上げ方法により行われている。この場合、壁材である石膏ボードの表面は凹凸が多いので、壁紙、布地、合成樹脂クロス等の壁装材を張り付ける場合は、予めパテ等で平坦な表面に仕上げてから貼着しているが、特に出隅部分や入隅部分等のコーナー部は、尖った稜線部分があるため、パテ等による先仕上げが困難であった。
【０００３】
建物の壁面の出隅部分を平坦に先仕上げするため、下記特許文献１に記載のコーナー材が提案されている。このコーナー材は、厚さ１ミリメ−トル以下、幅２ミリメ−トル以下の軟質合成樹脂製蝶番部の長手方向左右両側に、１ミリメ−トル以下の肉厚を有する硬質合成樹脂製の平板を一体に連結し、該平板には適数の孔を穿設したものである。一方、このような蝶番部を設けず、硬質の平板をその長手方向に沿う中心線でほぼ直角に屈曲させた形状のものが実用化されている。このものは、合成樹脂を予め断面Ｌ型の屈曲形状に押し出し成形した後、該屈曲した両側の平板部にそれぞれ粘着テープ（両面テープ）を貼り付けて穿孔することにより製造されるものである。さらに、これらコーナー材における問題点を改良するものとして、本発明者は、特許文献２等に記載のコーナー材を提案している。
【０００４】
【特許文献１】実公昭６２−４００３０号公報
【特許文献２】特願２００４−３４６６１１号公報
【発明の開示】
【発明が解決しようとする課題】
【０００５】
ところで、住宅等の建物の内部に鋭利なコーナー（出隅）が存在すると、老人や幼児がこれに突き当たって怪我をするおそれがあるので、壁のコーナー部も、ある程度丸みを帯びたものとしておくのが安全条好ましい。また、美観上の見地からも、コーナー部を丸みを帯びたものとすることが要望されることがある。
【０００６】
しかしながら、本来直角に形成されているコーナー部に丸みを付けるのは、下地ボードのコーナー部に対する切削等の加工が必要であり、手間がかかるという問題点があった。そこで本発明は、直角に形成されている鋭利なコーナー部を、壁材を用いて丸みを帯びたものに仕上げることができるようにすることを課題としている。
【課題を解決するための手段】
【０００７】
上記課題を解決するため、本発明は次のような構成を採用した。即ち、本発明にかかるコーナー材は、幅方向の中央部に縦方向の中心線に沿って折り曲げ可能な蝶番部を設け、該蝶番部の左右両側にそれぞれ所定幅のプレートを一体に設けたコーナー材であって、前記蝶番部には、軟質の筋と硬質の筋とが複数条交互に形成されていることを特徴としている。左右のプレートには、表裏に通ずる複数の穴を設けておくのが好ましい。また、左右のプレートの裏面側には、下地ボードに固定するための接着剤層を形成しておくのが好ましい。
【発明の効果】
【０００８】
本発明に係るコーナー材は、下地ボードのコーナ部にあてがって固定し、その上からクロス等の壁材を施工するものであり、当該下地ボードのコーナー部に沿って折り曲げる蝶番部が、硬質と軟質の筋を複数組交互に設けた構造となっているので、折り曲げたときに比較的緩やかな曲面の折り曲げ部が実現する。このため、下地ボードのコーナー部にこの折り曲げ部をあてがって固定し、その上から壁紙、クロス等の壁材を施工すると、丸みを帯びたコーナー部に仕上げられる。
【０００９】
折り曲げ部の左右のプレート部は、下地ボードに固定するものであるから、このプレート部の裏面側に接着剤層を設けておくと施工に便利である。また、プレート部に表裏に通ずる複数の穴を設けておけば、施工時に表裏に塗られたパテや壁土等が該プレート部を挟んで一体化するので、しっかりと固定される。
【発明を実施するための最良の形態】
【００１０】
以下、本発明の実施形態について具体的に説明する。このコーナー材１は、図１に示すように、左右の細長いプレート部２，２と、これらプレート部２，２に挟まれた部分（コーナー材の中央部）にあって両側のプレート部２，２と一体に設けられた蝶番部（折り曲げ部）３とを備えている。コーナー材１の材質としては、例えば、塩ビ、ＡＢＳ樹脂、ブタジエン−スチレン共重合体、ポリプロピレン、ポリエステル等の合成樹脂材料が挙げられる。
【００１１】
プレート部２には、表裏に貫通する多数の円形の穴５，…が規則正しく分散穿孔されている。この穴５は施工時に表裏に塗られたパテや壁土等が平板部を挟んで一体化するための流通孔で、直径３〜５ミリメートル程度の円形孔とするのが好ましいが、角孔や異形の孔であってもよい。
【００１２】
このコーナー材１全体の幅は４０〜７０ｍｍ、例えば６０ｍｍ程度であり、プレート部２の幅は、数十ｍｍ（例えば、折り目によって区分される一方の平板部の幅が２５〜５０ｍｍ程度）とし、厚みは０．５〜２ｍｍ程度とするのが好ましい。この厚みが大き過ぎると、他の部分に比べて仕上げ表面が盛り上がるので好ましくない。逆に薄過ぎると、強度（いわゆる腰の強さ）が不十分となり、使い勝手が悪くなる。プレート部２の外縁部２ａは、図４に示すように、外に向かって徐々に肉厚が薄くなる断面楔状に形成されている。このため、プレート部を下地ボードに貼り付けたときに、当該プレート部の外縁部と下地ボードとの間に大きな段差が生じず、仕上げ後の壁装材の表面に筋目等が生じない。
【００１３】
上記プレート部２の片面には、図３に示すよに、当該コーナー材を下地ボードに固定するための接着剤層１０が設けられている。具体的には、この接着剤層１０は、図３に示すように、両面粘着テープ１１をプレート部に接着することにより形成されている。そして、両面粘着テープ１１の表面は、離型紙１２によって覆われている。使用時には、この離型紙を剥して接着剤層の面を露出させればよい。
【００１４】
上記蝶番部３は、例えばブタジエン−スチレン共重合体等の合成樹脂で形成されており、中心線に沿って軟質筋１５と硬質筋１７とが交互に複数筋形成されている。図示例では、軟質筋１５が４筋、硬質筋１７が３筋形成されていて、３筋の硬質筋１７のうち、中央の硬質筋１７（Ａ）は両側の硬質筋１７（Ｂ）よりも細く形成されている。軟質筋１５は、フレキシブルな軟質の筋であり、この筋の部分で当該筋の方向に沿って簡単に折り曲げることができる。また、硬質筋１７は、かなりの剛性を有する硬質の筋であり、この筋の部分では折り曲げが困難である。
【００１５】
蝶番部３は、折り曲げたときにコーナー部に３Ｒ以上、好ましくは４Ｒ程度の丸みが付くようにするためのもので、蝶番部３全体の幅は１０〜１５ｍｍであり、軟質筋１５と硬質筋１７の幅は、軟質筋１５の幅が硬質筋７の幅よりも大きく（１〜２倍程度）、それぞれ数ｍｍ、例えば１〜３ｍｍ程度である。軟質筋１５と軟質筋１７の厚みは、いずれも１ｍｍ以下であり、軟質筋１５の厚みは硬質筋１７の厚みよりも薄く、例えば硬質筋１７の厚みの半分程度である。具体的には、例えば硬質筋１７の厚みを０．６ｍｍとすると  硬質条１５の厚みは０．３ｍｍ程度とするのが好ましい。なお、軟質筋１５と硬質筋１７とは、同じ材質で形成し、厚みを異ならせることによって区別することも可能であるが、別々の材質で両者を形成しておくのが好ましい。
【００１６】
このコーナー材１は、長尺のベルト状に成形してロール状に巻いておき、現場で適当な長さに切り出して使用するのが便利である。このコーナー材１を用いて建物のコーナー部に丸み付けする場合について例示すると、まず、ロール状に巻かれているコーナー材１を適当な長さに切断し、接着剤層をカバーしている離型紙（被覆紙）１２を剥して接着剤層１０を露出させ、該露出した接着剤層を壁材に向けて下地ボード２０のコーナー部に貼り付ける。
【００１７】
このコーナー材１は、折り曲げ部である蝶番部３が、軟質と硬質の細い複数の筋１５，１７を交互に形成してなるものであり、折り曲げ易い軟質筋１５と、折り曲げにくい硬質筋１７とが交互に配置されているので、図６に模式的に示すように、この蝶番部３、つまりコーナー部で緩やかに湾曲する。このため、コーナー部が丸みを帯びたものとなるのである。このコーナー材１を壁を構成する下地ボード２０のコーナー部に取り付けたら、必要に応じてパテ等を塗って平坦化し（パテを塗らなくてもよい場合が多い）、図５に示すように、その上からクロス、壁紙等を貼り付けるか、湿式の壁仕上げ材３０を塗り付ける。これにより、丸みを帯びた美麗なコーナー部を仕上げることができるのである。
【００１８】
なお、以上の説明では、蝶番部３を４筋の軟質筋１５と、３筋の硬質筋とで構成したが、筋の数はこれに限定されるものではなく、使用条件等に応じて適当な数とすることができる。
【産業上の利用可能性】
【００１９】
以上の説明から明らかなように、本発明にかかるコーナー材１は、下地ボードの鋭利なコーナー部を簡単な施工で丸みを帯びた美麗なものに仕上げることができる。このコーナー材を壁紙、クロス等、湿式以外の仕上げ用に使用できることは言うまでもない。
【図面の簡単な説明】
【００２０】
【図１】本発明の１実施形態をあらわす平面図である。
【図２】その蝶番部の拡大平面図である。
【図３】蝶番部の拡大断面図である。
【図４】平板部の外縁部の拡大断面図である。
【図５】施工法の説明図である。
【図６】折り曲げ状態を模式的に表す断面図である。
【符号の説明】
【００２１】
１        コーナー材
２        プレート部
３        蝶番部（折り曲げ部）
５        穴
１０        接着剤層
１２        離型紙
１５        軟質筋
１７        硬質筋
２０        下地ボード
３０        壁材
【図１】
2008057248.tif 000003
【図２】
2008057248.tif 000004
【図３】
2008057248.tif 000005
【図４】
2008057248.tif 000006
【図５】
2008057248.tif 000007
【図６】
2008057248.tif 000008